(57)【要約】【課題】ホームベージのＵＲＬを入力しなくても、簡単にユーザが希望する地域固有の情報を入手可能とする。【解決手段】携帯情報端末４に装備されている赤外線通信を含む光通信機能７を使用して、複数の地域にそれぞれ設置されている地域に関する情報を発信する地域専用情報発信端末１へアクセスして、ユーザが必要とする当該地域に関する詳細情報のサイトであるホームページ（インターネット等の広域通信網上）のＵＲＬを含む地域情報を取得する。ＵＲＬを含む地域に関する情報を取得したユーザは、携帯情報端末４の表示画面上で、当該地域情報から必要な情報を選択することにより、この選択された情報に含まれるＵＲＬを用いて、携帯情報端末４が自動的にインターネット等の広域通信網６へアクセスして、ＷＥＢサーバ２のホームページの閲覧が可能となる。【選択図】      図１
2005020332.tif 000002
【特許請求の範囲】
【請求項１】
携帯情報端末からのアクセスに応答して、広域通信網のサーバへアクセスするためのＵＲＬ情報を含む情報を、前記携帯情報端末へ発信する手段を含むことを特徴とする情報発信端末。
【請求項２】
前記ＵＲＬ情報を含む情報は、設置地域に関する情報であることを特徴とする請求項１記載の情報発信端末。
【請求項３】
前記携帯情報端末との間の通信を光通信で行う光通信手段を含むことを特徴とする請求項１または２記載の情報発信端末。
【請求項４】
前記地域に関する情報の見出しと、それに対応する情報を格納したサーバのＵＲＬ情報とを格納した格納手段を含むことを特徴とする請求項２または３記載の情報発信端末。
【請求項５】
情報発信端末へアクセスする手段と、
このアクセスに応答して前記情報発信端末から送信され、広域通信網のサーバから得るためのＵＲＬ情報を含む情報を受信する受信手段と、
この受信情報を表示する表示手段とを含むことを特徴とする携帯情報端末。
【請求項６】
前記ＵＲＬ情報を含む情報は、前記情報発信端末の設置地域に関する情報であることを特徴とする請求項５記載の携帯情報端末。
【請求項７】
前記情報発信端末との間の通信を光通信で行う光通信手段を含むことを特徴とする請求項５または６記載の携帯情報端末。
【請求項８】
前記表示手段に表示されている情報の選択操作に応答して、その情報に対応したＵＲＬ情報を用いて広域通信網へアクセスをなす手段とを含むことを特徴とする請求項６または７記載の携帯情報端末。
【請求項９】
携帯情報端末からのアクセスに応答して情報を発信する情報発信端末と、前記アクセスに応答して前記情報発信端末から送信されたユーザに関する情報に基づいて当該ユーザの趣味嗜好に合致した情報を前記ユーザの携帯情報端末へ提供する趣味嗜好判別端末とを含む情報提供システムにおける前記趣味嗜好判別端末であって、
前記ユーザを特定するための個人情報、趣味嗜好情報、アクセス履歴情報を格納した第一の格納手段と、
前記趣味嗜好に合致する情報の見出しとそれに対応する情報を格納したサーバのＵＲＬ情報とを格納した第二の格納手段と、
前記情報発信端末から、アクセスした前記ユーザの個人情報、前記情報発信端末の設置場所情報を受信して、この受信情報と前記第一及び第二の格納手段の格納情報とに基づき、前記ユーザの趣味嗜好に合致した情報を前記サーバから得るためのＵＲＬ情報を含む情報を、前記携帯情報端末へ送信する手段と、
を含むことを特徴とする趣味嗜好判別端末。
【請求項１０】
前記送信する手段は、電子メールによる送信をなすことを特徴とする請求項９記載の趣味嗜好判別端末。
【請求項１１】
請求項１〜４いずれか記載の情報発信端末と、請求項５〜８いずかれ記載の携帯情報端末と、請求項９または１０記載の趣味嗜好判別端末とを含むことを特徴とする情報提供システム。
【請求項１２】
前記広域通信網に接続されて前記ＵＲＬ情報に対応した情報を格納したサーバを、更に含むことを特徴とする請求項１１記載の情報提供システム。
【請求項１３】
情報発信端末の動作制御方法であって、
情報携帯端末からのアクセスに応答して、所定情報を広域通信網のサーバから得るためのアクセス情報を含む情報を前記情報携帯端末へ発信するステップを含むことを特徴とする動作制御方法。
【請求項１４】
前記アクセス情報を含む情報は、前記情報発信端末の設置地域に関する情報であることを特徴とする請求項１３記載の動作制御方法。
【請求項１５】
前記携帯情報端末との間の通信を光通信で行うステップを含むことを特徴とする請求項１３または１４記載の動作制御方法。
【請求項１６】
情報発信端末へアクセスするステップと、
このアクセスに応答して前記情報発信端末から送信され、所定情報を広域通信網のサーバから得るためのＵＲＬ情報を含む情報を受信するステップと、
この受信情報を表示する表示ステップとを含むことを特徴とする携帯情報端末の動作制御方法。
【請求項１７】
前記ＵＲＬ情報を含む情報は、前記情報発信端末の設置地域に関する情報であることを特徴とする請求項１６記載の動作制御方法。
【請求項１８】
前記情報発信端末との間の通信を光通信で行うようにしたことを特徴とする請求項１６または１７記載の動作制御方法。
【請求項１９】
前記表示ステップにて表示されている情報の選択操作に応答して、その情報に対応したＵＲＬ情報を用いて広域通信網へアクセスをなすステップを含むことを特徴とする請求項１６〜１８いずれか記載の動作制御方法。
【請求項２０】
情報発信端末の動作制御方法をコンピュータにより実行させるためのプログラムであって、
携帯情報端末からのアクセスに応答して、所定情報を広域通信網のサーバから得るためのアクセス情報を含む情報を、前記携帯情報端末へ発信するステップを含むことを特徴とするプログラム。
【請求項２１】
携帯情報端末の動作制御方法をコンピュータにより実行させるためのプログラムであって、
情報発信端末へアクセスするステップと、
このアクセスに応答して前記情報発信端末から送信され、所定情報を広域通信網のサーバから得るためのＵＲＬ情報を含む情報を受信するステップと、
この受信情報を表示するステップとを含むことを特徴とするプログラム。
【発明の詳細な説明】
【０００１】
【発明の属する技術分野】
本発明は情報発信端末、趣味嗜好判別端末並びに携帯情報端末及びこれらを用いた情報提供システム、端末の動作制御方法、プログラムに関し、特に携帯情報端末を使用してユーザが現在いる地域に関する情報を得るための情報提供方式に関するものである。
【０００２】
【従来の技術】
近年、携帯電話機などの携帯情報端末が広く普及しており、ユーザは、レジャーや旅行、更には出張などの外出時に、常に携帯情報端末を携帯しており、ネットワークを介して、何時でもどこでも、希望する相手先との通信が可能になっている。
【０００３】
特に、外出先における地域に関する固有の情報、例えば、地図情報、施設情報、交通情報、気象情報、イベント情報等を必要とする場合があるが、かかる場合には、携帯情報端末を用いて、ユーザは地域固有のこれらの情報を取得することができるシステムが提案されている（特許文献１，２参照）。
【０００４】
このようなシステムにおいては、各地域に情報サービスステーションを設けておき、携帯情報端末である携帯電話機の光通信機能を用いて、この情報サービスステーションに対してアクセスを行い、ユーザの要求に合致した情報を取得するというものである。
【０００５】
【特許文献１】
特開２０００−３２４５４２号公報
【０００６】
【特許文献２】
特開２００３−１１６１６０号公報
【０００７】
【発明が解決しようとする課題】
上記の従来技術における情報提供サービスシステムにおいて、ユーザが携帯電話機を用いて情報サービスステーションへアクセスする際に、地域固有の各種情報のうち、希望する情報を選択する必要があるが、この選択方法については特に明記されていない。この場合、一般的には、検索サイトからキーワード検索したり、知っているサイト（ホームページ）のアドレス情報であるＵＲＬ（Ｕｎｉｆｏｒｍ  Ｒｅｓｏｕｒｃｅ  Ｌｏｃａｔｏｒ）を入力したりと、ユーザーが欲しいホームページを探し出すのにかなり面倒な手順を踏まなくてはならない。
【０００８】
また、光通信方式を使用しているために、ユーザが希望する地域固有の情報を得るためには、ユーザは、常時、情報サービスステーションに極めて近い位置にいて、携帯情報端末と情報サービスステーションとの通信を行う必要があり、ユーザは離れることができないことになる。
【０００９】
更に、地域固有の情報を不特定多数のユーザに電子メールで提供するシステムも考えられるが、この場合、本当に欲しいユーザはごく１部であり、他のユーザには不必要な情報となってしまう。
【００１０】
更にはまた、特定地域施設にどのようなユーザがきたというということを、特定地域施設の管理者が知る必要があるが、そのためには、紙でアンケートを取る、または口答で尋ねてユーザの情報を得なければならないという問題もある。
【００１１】
本発明の目的は、ホームページのＵＲＬを入力しなくても、簡単にユーザが希望する地域固有の情報を入手可能とした情報発信端末、趣味嗜好判別端末並びに携帯情報端末及びこれらを用いた情報提供システム及び端末の動作制御方法、プログラムを提供することである。
【００１２】
本発明の他の目的は、携帯情報端末を保有するユーザに関する情報（顧客情報）を簡単に収集することができ、事業管理者の事業の発展に貢献し得る情報発信端末、趣味嗜好判別端末並びに携帯情報端末及びこれらを用いた情報提供システム端末の動作制御方法、プログラムを提供することである。
【００１３】
【課題を解決するための手段】
本発明による情報発信端末は、携帯情報端末からのアクセスに応答して、所定情報を広域通信網のサーバから得るためのアクセス情報を含む情報を、前記携帯情報端末へ発信する手段を含むことを特徴とする。
【００１４】
本発明による携帯情報端末は、情報発信端末へアクセスする手段と、このアクセスに応答して前記情報発信端末から送信され、所定情報を広域通信網のサーバから得るためのＵＲＬ情報を含む情報を受信する受信手段と、この受信情報を表示する表示手段とを含むことを特徴とする。
【００１５】
本発明による趣味嗜好判別端末は、携帯情報端末からのアクセスに応答して情報を発信する情報発信端末と、前記アクセスに応答して前記情報発信端末から送信されたユーザに関する情報に基づいて当該ユーザの趣味嗜好に合致した情報を前記ユーザの携帯情報端末へ提供する趣味嗜好判別端末とを含む情報提供システムにおける趣味嗜好判別端末であって、前記ユーザを特定するための個人情報、趣味嗜好情報、アクセス履歴情報を格納した第一の格納手段と、前記趣味嗜好に合致する情報の見出しとそれに対応する情報を格納したサーバのＵＲＬ情報とを格納した第二の格納手段と、前記情報発信端末から、アクセスした前記ユーザの個人情報、前記情報発信端末の設置場所情報を受信して、この受信情報と前記第一及び第二の格納手段の格納情報とに基づき、前記ユーザの趣味嗜好に合致した情報を前記サーバから得るためのＵＲＬ情報を含む情報を、前記携帯情報端末へ送信する手段とを含むことを特徴とする。
【００１６】
本発明による情報提供システムは、上記の各端末を含むことを特徴としている。
【００１７】
本発明による情報発信端末の動作制御方法は、前記携帯情報端末からのアクセスに応答して、所定情報を広域通信網のサーバから得るためのアクセス情報を含む情報を前記携帯情報端末へ発信するステップを含むことを特徴とする。
【００１８】
本発明による携帯情報端末の動作制御方法は、情報発信端末へアクセスするステップと、このアクセスに応答して前記情報発信端末から送信され、広域通信網のサーバから得るためのＵＲＬ情報を含む情報を受信するステップと、この受信情報を表示する表示ステップとを含むことを特徴とする。
【００１９】
本発明によるプログラムは、情報発信端末の動作制御方法をコンピュータにより実行させるためのプログラムであって、携帯情報端末からのアクセスに応答して、所定情報を広域通信網のサーバから得るためのアクセス情報を含む情報を、前記携帯情報端末へ発信するステップを含むことを特徴とする。
【００２０】
本発明による他のプログラムは、携帯情報端末の動作制御方法をコンピュータにより実行させるためのプログラムであって、情報発信端末へアクセスするステップと、このアクセスに応答して前記情報発信端末から送信され、所定情報を広域通信網のサーバから得るためのＵＲＬ情報を含む情報を受信するステップと、この受信情報を表示する表示ステップとを含むことを特徴とする。
【００２１】
本発明の作用を述べる。携帯情報端末に装備されている赤外線通信を含む光通信機能を使用して、複数の地域にそれぞれ設置されている地域に関する情報等を発信する地域専用情報発信端末へアクセスして、ユーザが必要とする当該地域に関する詳細情報のサイトであるホームページ（インターネット等の広域通信網上）のＵＲＬを含む地域情報を取得する。ＵＲＬを含む地域に関する情報を取得したユーザは、携帯情報端末の表示画面上で、当該地域情報から必要な情報を選択することにより、この選択された情報に含まれるＵＲＬを用いて、携帯情報端末が自動的にインターネット等の広域通信網へアクセスして、ホームページの閲覧が可能となる。
【００２２】
また、ユーザの個人情報、趣味嗜好情報を予め登録した趣味嗜好判別端末を、広域通信網上に設けておき、上記情報発信端末へユーザがアクセスしたとき、この情報発信端末がこのユーザの個人情報を趣味嗜好判別端末へ送信する。この趣味嗜好判別端末において、ユーザのアクセス履歴や、個人情報、趣味嗜好情報に基づいて、当該ユーザの趣味嗜好に合わせた最適の地域情報のホームページのＵＲＬを、電子メールで当該ユーザの携帯情報端末へ送信する。
【００２３】
【発明の実施の形態】
以下に図面を参照しつつ本発明の実施例について説明する。図１は本発明の概略システム構成図である。図１を参照すると、本発明の実施例は、地域専用情報発信端末１と、ＷＥＢサーバ２と、趣味嗜好判別端末３と、携帯情報端末４と、情報更新端末５と、これ等を相互に接続するための通信網であるインターネット（広域通信網）６、光通信７、無線ＬＡＮ９とにより構成されている。なお、１０は、携帯情報端末４とインターネット６との間の無線通信を示している。
【００２４】
地域専用情報発信端末１は、携帯情報端末４との間における光通信７をなすための赤外線通信機能と、情報更新端末５との間における無線通信９をなすための無線ＬＡＮ機能とを有している。この地域専用情報発信端末１は予め定められた複数の地域に設置されており、携帯情報端末４との間で赤外線通信７により情報の送受信を行う。
【００２５】
地域専用情報発信端末１が携帯情報端末４に対して送信する情報は、この地域専用情報発信端末１が設置されている地域に関する固有の情報を、インターネット６を介してＷＥＢサーバ２のホームページから得るためのＵＲＬ情報を含む情報である。また、この地域専用情報発信端末１は、携帯情報端末４のアクセスに応答して、この携帯情報端末４に関する情報を趣味嗜好判別端末３へ、インターネット６を介して送信する機能をも有している。
【００２６】
ＷＥＢサーバ２は、携帯情報端末４がインターネット６を介してアクセスしたときに、地域に関する専用の詳細な情報、すなわちホームページを、携帯情報端末４へ送信する機能を有している。
【００２７】
趣味嗜好判別端末３は、パーソナルコンピュータ等の情報処理端末であり、地域専用情報発信端末１がどの携帯情報端末４からアクセスがあったか、その携帯情報端末４のユーザがどのような趣味嗜好の持主であるか、更には、その携帯情報端末４がアクセスした地域専用情報発信端末１の設置位置（場所）等の情報から、そのユーザに適しており、かつその位置（場所）に適した地域専用情報を、ＷＥＢサーバから得るためのＵＲＬ情報を含む情報を判断して、携帯情報端末４へ、電子メールにて送信する機能を有している。
【００２８】
携帯情報端末４はＩｒＭＣ（Ｉｎｆｒａｒｅｄ  Ｍｏｂｉｌｅ  Ｃｏｍｍｕｎｉｃａｔｉｏｎ  ）の赤外線のポートを制御できる機能、すなわち赤外線通信機能を有する携帯電話機であり、また、電子メールの機能をも有している。
【００２９】
情報更新端末５はパーソナルコンピュータ等の情報処理端末であり、地域専用情報発信端末１には表示部や操作部が設けられていないために、自装置の状態や情報の入力、更新を行うことができないので、情報の入力や更新のために、情報更新端末５を設けて、この端末５によりそれを行うようにしている。地域専用情報発信端末１がどこに設置されていても良いように、モバイル性を考慮して、無線ＬＡＮ機能が装備されている。
【００３０】
図２は地域専用情報発信端末１の概略機能ブロック図であり、携帯情報端末４との赤外線通信をなす光通信部１１と、情報更新端末５との間の通信をなす無線ＬＡＮ通信部１２と、インターネット６との間の通信をなす通信部１７と、当該端末１が設置されている付近の地域に関する専用情報を、ホームページから得るためのＵＲＬ情報を格納したデータベース（記憶手段）１３と、情報更新端末５からの情報の入力や更新に応答して、データベース１３の内容を書換え制御するデータベース更新部１４と、これ等各部を制御する制御部（ＣＰＵ）１５と、ＣＰＵ１５の動作手順を予めプログラムして格納すると共に、作業用メモリとしても機能するメモリ１６とを有している。
【００３１】
図３は、図２に示したデータベース１３の内容の例を示す図である。図３を参照すると、地域専用情報の見出しと、その地域専用情報のホームページのＵＲＬとが、対応して格納されており、当該見出しの例としては、図示する如く、「飲食喫茶」、「アミューズメント」、「ショッピング」、「地図」等があげられるが、この他にも、ユーザが希望する地域に関する各種情報の見出しが、ＵＲＬと共に格納されている。
【００３２】
図４は趣味嗜好判別端末３の概略機能ブロック図であり、地域専用情報発信端末１や携帯情報端末４との間の通信をなす通信部３１と、ユーザに関する個人情報を予め登録した個人情報データベース３２と、地域専用情報データベース３３と、データベース更新部３４と、データベース３２や３３の内容に基づいてユーザの趣味嗜好に合った地域に関する情報を提供するための趣味嗜好判別部３５と、これ等各部を制御する制御部（ＣＰＵ）３６と、ＣＰＵ３６の動作手順を予めプログラムとして格納すると共に、作業用メモリとしても機能するメモリ３６とを有している。
【００３３】
図５は図４の個人情報データベース３２の内容の一例を示す図である。図５を参照すると、ユーザに関する個人情報が予め格納されており、電話番号、氏名、住所、生年月日、趣味嗜好、アクセス履歴等の情報からなっている。アクセス履歴としては、当該ユーザがどの地域専用情報発信端末に、いつアクセスしたか、何回目のアクセスか等がある。このアクセス履歴以外の個人情報（電話番号、氏名、住所、生年月日、趣味嗜好）に関しては、このシステムを利用するために、ユーザはアプリケーションプログラムをダウンロードする必要があるが、このダウンロード時に、ユーザの個人情報を登録し、その後に、アプリケーションプログラムのダウンロードを行うようにすれば良いものである。
【００３４】
図６は図４の地域専用情報データベース３３の内容の一例を示す図であり、地域毎に（Ａ，Ｂで示す）、地域専用情報の見出しと、その情報のＵＲＬとが対応して格納されている。本例では、「洋食」、「和食」、「ゲームセンター」、「映画館」等の詳細に区分けされた見出しが、ＵＲＬと共に格納されている。
【００３５】
図７は携帯情報端末４の概略ブロック図であり、地域専用情報発信端末１との光通信をなす光通信部４１と、インターネット６との通信をなす無線通信部４２と、操作部４３と、表示部４４と、これ等各部を制御する制御部（ＣＰＵ）４５と、ＣＰＵ４５の動作手順を予めプログラムとして格納すると共に、作業用メモリとして機能するメモリ４６とを有している。
【００３６】
以下に、本発明の実施例の動作について、図８のシーケンス図を参照しつつ説明する。先ず、上述した如く、ユーザは、本システムのためのプログラムを、メモリ４６（図７参照）に予めダウンロードする必要があり、このとき、ユーザに関する個人情報をＷＥＢサーバ２に送信して登録することになる（ステップＳ０１，Ｓ０２）。そして、ＷＥＢサーバ２から趣味嗜好判別端末３へユーザに関する個人情報が送信され（ステップＳ０３）、趣味嗜好判別端末３の個人情報データベース３２へ、このユーザに関する個人情報（図５参照）が格納される（ステップＳ０３）。
【００３７】
携帯情報端末４を有するユーザが、地域専用情報発信端末１を見付けると、この地域専用情報発信端末１に携帯情報端末４を近付けて、赤外線通信によりアクセスを行う（ステップＳ１）。
【００３８】
地域専用情報端末１は、携帯情報端末４からのアクセスに応答して、データベース１３から図３に示した情報を読出して携帯情報端末４へ送信する（ステップＳ２）。この場合の送信情報は、地域専用情報発信端末１が設置されている場所の付近の地域に関する専用情報の見出しと、その専用情報が掲載されているホームページのＵＲＬであり、図３に示した様な内容であり、これが携帯情報端末４のメモリに記憶されて表示用ディスプレイに表示されることになる（ステップＳ３）。
【００３９】
この場合の表示例が、図９に示されており、この地域に関する各種情報（飲食喫茶、アミューズメント、ショッピング、地図等）の見出しと、その情報の掲載ホームページのＵＲＬとが対になって、メニュー画面として表示される。なお、一表示画面に表示できない場合は、ユーザのスクロール操作により、全ての表示が可能となる。
【００４０】
地域専用情報発信端末１は、携帯情報端末４からのアクセス（ステップＳ１）に応答して、この携帯情報端末４がアクセスしたことを知らせる情報を趣味嗜好判別端末３へ送信する（ステップＳ４）。この場合の送信情報としては、アクセスした端末４の電話番号、自端末１の識別情報または自端末の設置場所（アクセス場所に相当）を示す情報、アクセス日時を示す情報等である。
【００４１】
趣味嗜好判別端末３は、個人情報データベース３２（図５参照）の対応するユーザの個人情報エントリ部分における「アクセス履歴」に、アクセス日時、アクセス場所等の情報を追加し、アクセス回数の更新を行う。そして、データベース３２の内容に基づいて、当該ユーザの趣味嗜好に合致した情報を判別して、地域専用情報データベース３３（図６参照）における当該情報を読出して、電子メールにより、携帯情報端末４へ送信する（ステップＳ５）。
【００４２】
例えば、携帯情報端末４のユーザが、地域Ａに設置されている地域専用情報発信端末１へアクセスしたとすると、趣味嗜好判別端末３は、このユーザの趣味嗜好及び前回までのアクセス履歴に基づいて、現在このユーザが最も欲しいと考えられる情報を判別し、それに対応した、地域Ａの情報を読出し、電子メール送信するのである。この場合、ユーザが地域Ａで夕食時間帯にアクセスしたとし、このユーザが和食を好むものと登録されていたとすると、地域Ａの和食に関するＵＲＬを含む情報を、地域専用データベース３３から読出して、このＵＲＬを含む「和食」なる情報を、携帯情報端末４へ電子メール送信することになる。
【００４３】
携帯情報端末４においては、この電子メールを受信してメモリへ記憶すると共に、表示部へ表示する（ステップＳ６）。なお、ステップＳ３で表示されている内容をユーザが利用したい場合は、ステップＳ６での電子メールの表示をやめて、地域専用情報発信端末１からの送信情報を表示させて、図９に示すメニュー表示とし、このメニューから適宜選択操作すれば、自動的に、それに含まれるＵＲＬへのアクセスが行われ（ステップＳ７）、対応するホームページがＷＥＢサーバより送信され（ステップＳ８）、ホームページの閲覧が可能となる（ステップＳ９）。
【００４４】
また、ユーザが趣味嗜好端末３から電子メール送信されてきた情報を利用したい場合は、ステップＳ６に表示されている表示項目（上述の例では、「和食」が表示されている）を選択すれば、自動的に、それに含まれるＵＲＬへのアクセスが行われ（ステップＳ７）、ホームページの閲覧が可能となる（ステップＳ９）。
【００４５】
地域専用情報発信端末１のデータベースの情報更新が必要な場合には、情報更新端末５により無線ＬＡＮを介して情報の更新が実行される（ステップＳ１０）。
【００４６】
こうして地域専用情報発信端末１へアクセスしたユーザは、自分が希望する地域専用情報に関するＵＲＬを含む情報を取得することができ、このＵＲＬを含む地域専用情報の見出しの表示画面上で、見出しの選択をなすのみで、自動的にＵＲＬへのアクセスが可能となる。このＵＲＬを含む情報を取得すれば、この地域専用情報発信端末１から離れていても、いつでも、どこでも、ＵＲＬへのアクセスが可能となる。
【００４７】
また、趣味嗜好判別端末３から電子メール送信されたユーザは、その送信された情報に示された店に行けば、料金の割引を受けられるように、趣味嗜好判別端末３からクーポン券や割引券を発行して、ユーザの端末４へ電子メールで送信する構成とする。そして、ユーザがこのクーポン券や割引券の表示を店に提示することにより、料金割引サービスが受けられるようにしても良い。
【００４８】
ユーザがＷＥＢサーバ２のホームページへアクセスする際の料金は、ＷＥＢサーバ２側でそれを管理して、このシステムに加盟している加盟店に負担させるようにすることにより、加盟店の宣伝広告にもなり、効果的である。
【００４９】
なお、携帯情報端末を用いて地域に関する専用情報を取得する場合について述べたが、これに限定されることなく、携帯情報端末により、広く種々の情報を取得する場合に適用可能であることは勿論である。
【００５０】
【発明の効果】
本発明によれば、ホームページへのアクセス情報であるＵＲＬの入力を行うことなく地域に関する専用情報を入手することができるので、携帯情報端末のユーザがホームページを閲覧する蓋然性が極めて高くなり、加盟店の宣伝広告機能がたかまるという効果がある。現在、携帯情報端末である携帯電話機を保有しているユーザは多いために、このサービスを利用するユーザの数も多くなり、なお一層の宣伝効果が期待できるという効果がある。
【００５１】
更に、地域専用情報発信端末を通じて携帯情報端末のユーザ情報（顧客情報）を得ることが容易であるために、今後の事業展開に極めて有効となるという利点もある。更にはまた、地域専用情報発信端末と携帯情報端末との間の通信は、赤外線を用いた光通信とし、この光通信による送信情報は、単に地域に関する専用情報の見出しと、それに対応するＵＲＬ情報のみであるから、通信規模は小さく、ユーザはその情報を受信すると、その場所から離れても良いので、場所に拘束される時間は極めて短いという効果もある。
【図面の簡単な説明】
【図１】本発明の実施例のシステム概略図である。
【図２】地域専用情報発信端末の機能ブロック図である。
【図３】地域専用情報発信端末のデータベースの内容を示す図である。
【図４】趣味嗜好判別端末の機能ブロック図である。
【図５】趣味嗜好判別端末の個人情報データベースの内容を示す図である。
【図６】趣味嗜好判別端末の地域専用情報データベースの内容を示す図である。
【図７】携帯情報端末の機能ブロック図である。
【図８】本発明の実施例の動作を示すシーケンス図である。
【図９】携帯情報端末の表示画面の例である。
【符号の説明】
１  地域専用情報発信端末
２  ＷＥＢサーバ
３  趣味嗜好判別端末
４  携帯情報端末
５  情報更新端末
６  広域通信網（インターネット）
７  光通信
９  無線ＬＡＮ
１０  無線通信
【図１】
2005020332.tif 000003
【図２】
2005020332.tif 000004
【図３】
2005020332.tif 000005
【図４】
2005020332.tif 000006
【図５】
2005020332.tif 000007
【図６】
2005020332.tif 000008
【図７】
2005020332.tif 000009
【図８】
2005020332.tif 000010
【図９】
2005020332.tif 000011